(57)【要約】【課題】効果的な広告提供を行うこと。【解決手段】ＤＢ更新処理部が入力部を介して受け取った広告に関する情報を広告主ＩＤごとに広告情報ＤＢに格納し、情報抽出処理部が送信スケジュールなどに基づいて広告情報ＤＢから送信対象となる情報を抽出し、抽出した広告情報を送信部が放送波に乗せて送信するよう送信装置を構成する。また、格納処理部が送信装置から受信した広告情報を記憶部に格納し、抽出キー生成部が記憶部の広告情報に基づき施設情報を抽出するための抽出キーを生成し、提供処理部が選択された抽出キーに関連する施設情報を抽出して広告情報とともに利用者に提供するよう端末装置を構成する。【選択図】        図１
2006331318.tif 000002
【特許請求の範囲】
【請求項１】
広告情報を放送波に乗せて送信する送信装置と、前記広告情報を受信して利用者に提供する端末装置とで広告の提供を行う広告システムであって、
前記送信装置は、
広告主を識別するための広告主識別情報を前記広告情報に含めて送信する送信手段を備え、
前記端末装置は、
施設情報を記憶しておくための記憶手段と、
前記広告情報を受信したならば、該広告情報に含まれる前記広告主識別情報に基づき、前記施設情報を抽出するための抽出キーを生成する抽出キー生成手段と、
前記抽出キーに基づいて抽出した前記施設情報を利用者に対して提供する提供手段と、
を備えたことを特徴とする広告システム。
【請求項２】
前記送信手段は、広告の有効期限または有効期間を含んだ前記広告情報を送信し、
前記提供手段は、受信した該広告情報に含まれる該有効期限または該有効期間に基づいて抽出した前記施設情報を、利用者に対して提供することを特徴とする請求項１に記載の広告システム。
【請求項３】
前記提供手段は、自装置の位置情報に基づいて抽出した前記施設情報を、利用者に対して提供することを特徴とする請求項１または２に記載の広告システム。
【請求項４】
前記端末装置はナビゲーション装置であり、
前記抽出キー生成手段は、生成した前記抽出キーに対応した選択ボタンを表示部に表示させ、
前記提供手段は、前記選択ボタンが選択された場合に、該当する前記施設情報をルート情報とともに表示部に表示させることを特徴とする請求項１、２または３に記載の広告システム。
【請求項５】
前記提供手段は、前記施設情報をあらわすアイコンが選択された場合に、該当する前記広告情報を利用者に対して提供することを特徴とする請求項４に記載の広告システム。
【請求項６】
前記提供手段は、前記施設情報をあらわすアイコンが選択された場合に、該施設情報を目的地とする経路案内情報を利用者に対して提供することを特徴とする請求項４または５に記載の広告システム。
【請求項７】
前記送信装置の前記送信手段は、広告対象者を指定した広告対象情報を含んだ前記広告情報を送信し、
前記端末装置は、
利用者が前記広告対象者に含まれない場合に、受信した当該広告情報を削除する削除手段をさらに備えたことを特徴とする請求項１〜６のいずれか一つに記載の広告システム。
【請求項８】
広告情報を放送波に乗せて送信する送信装置であって、
広告主を識別するための広告主識別情報を前記広告情報に含めて送信する送信手段を備えたことを特徴とする送信装置。
【請求項９】
広告主を識別するための広告主識別情報を含んだ広告情報を受信して利用者に提供する端末装置であって、
施設情報を記憶しておくための記憶手段と、
前記広告情報を受信したならば、該広告情報に含まれる前記広告主識別情報に基づき、前記施設情報を抽出するための抽出キーを生成する抽出キー生成手段と、
前記抽出キーに基づいて抽出した前記施設情報を利用者に対して提供する提供手段と、
を備えたことを特徴とする端末装置。
【請求項１０】
前記端末装置は、ナビゲーション装置であり、
地図情報を記憶しておくための記憶手段をさらに備え、
前記抽出キー生成手段は、生成した前記抽出キーに対応した選択ボタンを表示部に表示させ、
前記提供手段は、前記選択ボタンが選択された場合に、該当する広告主の前記施設情報を前記地図情報とともに表示部に表示させることを特徴とする請求項９に記載の端末装置。
【請求項１１】
広告主を識別するための広告主識別情報を含んだ広告情報を受信して利用者に提供する端末装置で実行される端末プログラムであって、
前記広告情報を受信したならば、該広告情報に含まれる前記広告主識別情報に基づき、記憶部に記憶された施設情報を抽出するための抽出キーを生成する抽出キー生成手順と、
前記抽出キーに基づいて抽出した前記施設情報を利用者に対して提供する提供手順と、
をコンピュータに実行させることを特徴とする端末プログラム。
【発明の詳細な説明】
【技術分野】
【０００１】
この発明は、広告情報を放送波に乗せて送信する送信装置と、前記広告情報を受信して利用者に提供する端末装置とで広告の提供を行う広告システム、送信装置、端末装置および端末プログラムに関し、特に、広告提供者側においては広告効果を高めることができるとともに、広告利用者側においては効率的に広告を利用することができる広告システム、送信装置、端末装置および端末プログラムに関する。
【背景技術】
【０００２】
従来、放送番組のスポンサーとなっている企業や、放送局とタイアップしている企業の企業情報や広告を、ＦＭ多重放送などを用いることによって放送番組と連動して送信する技術が知られている。
【０００３】
また、広告を受信する側では、受信した情報をカーナビゲーション装置のディスプレイに表示するなどして利用することが一般的に行われている。この場合、受信する情報は不特定多数の利用者を対象に送信された情報であるので、その情報量は膨大なものである。
【０００４】
このため、広告情報の提供によって広告効果を高めるためには、利用者側において容易に情報を選別することができる仕組みが必要となる。たとえば、特許文献１および特許文献２には、カーナビゲーション機能を用いて自車位置を取得し、この位置情報に基づいて広告情報を選別する技術が開示されている。
【０００５】
一方で、放送を行う側で広告情報を予め選別したうえで送信することによって、利用者側の選別負担を軽減させる試みもなされている。たとえば、特許文献３には、利用者の位置情報を取得し、この位置情報に基づいて各利用者に送信すべき広告情報を選別したうえで送信する技術が開示されている。
【０００６】
【特許文献１】特開２００４−１３２７１７号公報
【特許文献２】特開２００２−４８５５６号公報
【特許文献３】特開２００２−４１９５４号公報
【発明の開示】
【発明が解決しようとする課題】
【０００７】
しかしながら、特許文献１あるいは特許文献２の技術は、広告情報を現在位置で絞り込んで提供できるものの、広告主側からすれば十分な広告効果をあげているとはいえないという問題があった。
【０００８】
すなわち、カーナビゲーション機能を用いて自動車で移動している利用者は、ナビゲーション画面上に企業が経営するコンビニエンスストアやガソリンスタンドといった施設をあらわす施設アイコンなどを表示することが多い。
【０００９】
しかし、広告情報を現在位置で絞り込んだとしても、施設アイコンと広告情報をリンクさせるには利用者の操作を必要とする。したがって、放送によって広告を提供されたとしても、広告を提供した企業の施設を容易に見つけることは困難である。
【００１０】
また、特許文献３の技術を用いるためには、放送する側に、個別送信を行う仕組みを設ける必要があり、施設整備のためのコストがかさんでしまうという問題がある。
【００１１】
これらのことから、広告提供者側においては広告効果を高めることができるとともに、広告利用者側においては効率的に広告を利用することができる広告システムをいかにして実現するかが大きな課題となっている。
【００１２】
この発明は、上述した従来技術による問題点を解消するためになされたものであり、広告提供者側においては広告効果を高めることができるとともに、広告利用者側においては効率的に広告を利用することができる広告システム、送信装置、端末装置および端末プログラムを提供することを目的とする。
【課題を解決するための手段】
【００１３】
上述した課題を解決し、目的を達成するため、請求項１の発明に係る広告システムは、広告情報を放送波に乗せて送信する送信装置と、前記広告情報を受信して利用者に提供する端末装置とで広告の提供を行う広告システムであって、前記送信装置は、広告主を識別するための広告主識別情報を前記広告情報に含めて送信する送信手段を備え、前記端末装置は、施設情報を記憶しておくための記憶手段と、前記広告情報を受信したならば、該広告情報に含まれる前記広告主識別情報に基づき、前記施設情報を抽出するための抽出キーを生成する抽出キー生成手段と、前記抽出キーに基づいて抽出した前記施設情報を利用者に対して提供する提供手段と、を備えたことを特徴とする。
【００１４】
また、請求項２の発明に係る広告システムは、上記の発明において、前記送信手段は、広告の有効期限または有効期間を含んだ前記広告情報を送信し、前記提供手段は、受信した該広告情報に含まれる該有効期限または該有効期間に基づいて抽出した前記施設情報を、利用者に対して提供することを特徴とする。
【００１５】
また、請求項３の発明に係る広告システムは、上記の発明において、前記提供手段は、自装置の位置情報に基づいて抽出した前記施設情報を、利用者に対して提供することを特徴とする。
【００１６】
また、請求項４の発明に係る広告システムは、上記の発明において、前記端末装置はナビゲーション装置であり、前記抽出キー生成手段は、生成した前記抽出キーに対応した選択ボタンを表示部に表示させ、前記提供手段は、前記選択ボタンが選択された場合に、該当する前記施設情報をルート情報とともに表示部に表示させることを特徴とする。
【００１７】
また、請求項５の発明に係る広告システムは、上記の発明において、前記提供手段は、前記施設情報をあらわすアイコンが選択された場合に、該当する前記広告情報を利用者に対して提供することを特徴とする。
【００１８】
また、請求項６の発明に係る広告システムは、上記の発明において、前記提供手段は、前記施設情報をあらわすアイコンが選択された場合に、該施設情報を目的地とする経路案内情報を利用者に対して提供することを特徴とする。
【００１９】
また、請求項７の発明に係る広告システムは、上記の発明において、前記送信装置の前記送信手段は、広告対象者を指定した広告対象情報を含んだ前記広告情報を送信し、前記端末装置は、利用者が前記広告対象者に含まれない場合に、受信した当該広告情報を削除する削除手段をさらに備えたことを特徴とする。
【００２０】
また、請求項８の発明に係る送信装置は、広告情報を放送波に乗せて送信する送信装置であって、広告主を識別するための広告主識別情報を前記広告情報に含めて送信する送信手段を備えたことを特徴とする。
【００２１】
また、請求項９の発明に係る端末装置は、広告主を識別するための広告主識別情報を含んだ広告情報を受信して利用者に提供する端末装置であって、施設情報を記憶しておくための記憶手段と、前記広告情報を受信したならば、該広告情報に含まれる前記広告主識別情報に基づき、前記施設情報を抽出するための抽出キーを生成する抽出キー生成手段と、前記抽出キーに基づいて抽出した前記施設情報を利用者に対して提供する提供手段と、を備えたことを特徴とする。
【００２２】
また、請求項１０の発明に係る端末装置は、上記の発明において、前記端末装置は、ナビゲーション装置であり、地図情報を記憶しておくための記憶手段をさらに備え、前記抽出キー生成手段は、生成した前記抽出キーに対応した選択ボタンを表示部に表示させ、前記提供手段は、前記選択ボタンが選択された場合に、該当する広告主の前記施設情報を前記地図情報とともに表示部に表示させることを特徴とする。
【００２３】
また、請求項１１の発明に係る端末プログラムは、広告主を識別するための広告主識別情報を含んだ広告情報を受信して利用者に提供する端末装置で実行される端末プログラムであって、前記広告情報を受信したならば、該広告情報に含まれる前記広告主識別情報に基づき、記憶部に記憶された施設情報を抽出するための抽出キーを生成する抽出キー生成手順と、前記抽出キーに基づいて抽出した前記施設情報を利用者に対して提供する提供手順と、をコンピュータに実行させることを特徴とする。
【発明の効果】
【００２４】
請求項１に係る発明によれば、送信装置は、広告主を識別するための広告主識別情報を広告情報に含めて送信する送信手段を備え、端末装置は、施設情報を記憶しておくための記憶手段と、広告情報を受信したならば、受信した広告情報に含まれる広告主識別情報に基づき、施設情報を抽出するための抽出キーを生成する抽出キー生成手段と、抽出キーに基づいて抽出した施設情報を利用者に対して提供する提供手段と、を備えるよう構成したので、送信装置および端末装置のコストを抑えつつ、広告提供者側においては広告効果を高めることができるとともに、広告利用者側においては効率的に広告を利用することができるという効果を奏する。
【００２５】
また、請求項２に係る発明によれば、送信手段は、広告の有効期限または有効期間を含んだ広告情報を送信し、提供手段は、受信した広告情報に含まれる有効期限または有効期間に基づいて抽出した施設情報を、利用者に対して提供するよう構成したので、有用な広告の選別を容易に行うことができる。したがって、効率的に広告効果を高めることができるという効果を奏する。
【００２６】
また、請求項３に係る発明によれば、提供手段は、自装置の位置情報に基づいて抽出した施設情報を、利用者に対して提供するよう構成したので、有用な広告の選別を容易に行うことができる。したがって、効率的に広告効果を高めることができるという効果を奏する。
【００２７】
また、請求項４に係る発明によれば、端末装置はナビゲーション装置であり、抽出キー生成手段は、生成した抽出キーに対応した選択ボタンを表示部に表示させ、提供手段は、選択ボタンが選択された場合に、該当する施設情報をルート情報とともに表示部に表示させるよう構成したので、広告情報と施設情報を関連付ける抽出キーを用いることによって、広告情報に対応する施設を容易に提供することができるという効果を奏する。
【００２８】
また、請求項５に係る発明によれば、提供手段は、施設情報をあらわすアイコンが選択された場合に、該当する広告情報を利用者に対して提供するよう構成したので、膨大な広告の中から、利用者に必要な情報を段階的に提供することができるという効果を奏する。
【００２９】
また、請求項６に係る発明によれば、提供手段は、施設情報をあらわすアイコンが選択された場合に、施設情報を目的地とする経路案内情報を利用者に対して提供するよう構成したので、利用者を広告情報に対応した施設へ誘導することによって、広告効果を高めることができるという効果を奏する。
【００３０】
また、請求項７に係る発明によれば、送信装置の送信手段は、広告対象者を指定した広告対象情報を含んだ広告情報を送信し、端末装置は、利用者が広告対象者に含まれない場合に、受信した当該広告情報を削除する削除手段をさらに備えるよう構成したので、不必要な情報を記憶することなく削除することによって、記憶装置の記憶エリアを有効活用することができるという効果を奏する。
【００３１】
また、請求項８に係る発明によれば、広告主を識別するための広告主識別情報を広告情報に含めて送信する送信手段を備えた送信装置を構成したので、複雑な情報加工を必要としないことによって、送信装置のコストを抑制することができるという効果を奏する。
【００３２】
また、請求項９に係る発明によれば、施設情報を記憶しておくための記憶手段と、広告情報を受信したならば、広告情報に含まれる広告主識別情報に基づき、施設情報を抽出するための抽出キーを生成する抽出キー生成手段と、抽出キーに基づいて抽出した施設情報を利用者に対して提供する提供手段と、を備えた端末装置を構成したので、広告情報と施設情報を効率的に対応させることによって、広告効果を高めることができるという効果を奏する。
【００３３】
また、請求項１０に係る発明によれば、端末装置は、ナビゲーション装置であり、地図情報を記憶しておくための記憶手段をさらに備え、抽出キー生成手段は、生成した抽出キーに対応した選択ボタンを表示部に表示させ、提供手段は、選択ボタンが選択された場合に、該当する広告主の施設情報を地図情報とともに表示部に表示させるよう構成したので、広告情報と施設情報を関連付ける抽出キーを用いることによって、広告情報に対応する施設を容易に提供することができるとともに、地図上に施設情報を表示することによって、施設の位置をわかりやすく提供することができるという効果を奏する。
【００３４】
また、請求項１１に係る発明によれば、広告情報を受信したならば、広告情報に含まれる広告主識別情報に基づき、記憶部に記憶された施設情報を抽出するための抽出キーを生成する抽出キー生成手順と、抽出キーに基づいて抽出した施設情報を利用者に対して提供する提供手順と、をコンピュータに実行させるよう構成したので、広告情報と施設情報を効率的に対応させることによって、広告効果を高めることができるという効果を奏する。
【発明を実施するための最良の形態】
【００３５】
以下に添付図面を参照して、この発明に係る広告システム、送信装置、端末装置および端末プログラムの好適な実施例を詳細に説明する。
【実施例】
【００３６】
図１は、本発明に係る広告システムの概要を示す図である。同図に示すように、この広告システムは、ラジオ放送、多重放送、ＴＶ放送、デジタル放送といった放送を行う放送局側に設けられた送信装置と、自動車などの移動体に設けられた端末装置とからなる。なお、この端末装置としては、たとえば、ラジオチューナーやＴＶチューナー等の放送受信機能を備えたカーナビゲーション装置が該当する。
【００３７】
放送局側に設けられた送信装置は、「広告情報」を格納した記憶装置を備えている。この「広告情報」とは、いわゆるＣＭなどの広告や企業情報といった、文字情報、画像情報などからなる情報のことを指す。
【００３８】
また、この広告情報は、広告主である企業の広告活動に伴う、キャンペーンやイベントに関する情報をも含む情報である。たとえば、コンビニエンスストアにおける、特売商品のキャンペーン情報や、レジャー施設におけるイベント情報などが、かかる広告情報に該当する。
【００３９】
上記した送信装置は、かかる広告情報の広告主である企業から、広告情報を構成する情報を受け取って記憶装置に格納しておく。かかる広告情報を構成する情報は、広告主である企業などを識別するための広告主ＩＤを少なくとも含んだ情報である。そして、放送局が放送を行う際には、送信装置が放送スケジュールにあわせるなどして送信する情報を抽出し（図１の（１）参照）、多重化放送などの技術を用いて通常の放送データとあわせて広告情報を送信する（図１の（２）参照）。
【００４０】
従来の送信装置では、かかる広告情報を受信する端末装置の利便性を考慮して、広告情報の加工度を高めるなどの手法がとられることが多かった。たとえば、広告情報に端末装置に表示させるためのアイコンを含めたり、端末装置の位置情報に基づいた編集を行ったり、といった高度な加工処理を行ったうえで、加工後の広告情報を送信することが行われていた。
【００４１】
しかし、このような高度な加工処理を行うこととすると、送信装置側に加工処理を行うためのあらたな装置を組み込む必要があり、システム構築のためのコストがかさむという問題があった。そこで、本発明に係る送信装置では、従来のような高度な加工処理を行うことなく、必要最小限の加工処理を行うこととした。すなわち、本発明に係る送信装置は、広告情報に少なくとも広告主ＩＤを含ませるという簡単な加工を行うのみであるので、従来の放送インフラをそのまま用いることができる。
【００４２】
このようにして送信された広告情報を受信する端末装置は、自動車などの移動体に搭載される。この端末装置は、いわゆるナビゲーション機能を有する装置であり、コンビニエンスストアやイベント施設といった施設情報およびいわゆる地図情報をハードディスクドライブなどの記憶装置に予め記憶している。
【００４３】
かかる端末装置は、受信した広告情報に含まれる広告主ＩＤに基づき、上記した施設情報を抽出するための抽出キーを生成し、この抽出キーに対応した広告主選択ボタンをディスプレイなどの表示装置に表示する（図１の（３）参照）。そして、利用者がこのボタンを選択したならば（図１の（４）参照）、該当する施設情報を抽出して地図情報などとともにディスプレイに表示する（図１の（５）参照）。
【００４４】
たとえば、端末装置は、ルートナビゲーション機能の目的地選択画面に上記した広告主選択ボタンを表示する。このようにすることで、広告を行った広告主に関連する施設情報を容易に見つけ出すことが可能となる。すなわち、広告提供者側（広告主）は、自動車で移動する利用者に対して効果的な宣伝活動を行うことができる。一方、広告利用者側（たとえば、ドライバー）は、面倒な操作を行うことなく広告に関連する施設を容易に見つけ出すことができる。
【００４５】
従来の端末装置では、広告情報を絞り込んで提供する場合、自車位置に基づいた選別処理を行うことが一般的に行われていた。この場合、広告情報を受け取った利用者は、この広告情報に関連する施設情報を自ら検索する必要があった。しかし、このような検索処理は面倒なものであり、利用者が検索処理を行わない場合には、せっかく行った広告活動が無に帰する結果となってしまう。
【００４６】
たとえば、コンビニエンスストアに関するキャンペーン商品の広告情報を受け取った場合に、この広告情報に関連するコンビニエンスストアを検索するには、まず、コンビニエンスストアのジャンルに属する施設を選択し、さらに、該当するコンビニエンスストアの種類を選択しなければならない。このように、従来の端末装置における施設情報の検索は、広告情報と直結しておらず、その結果、広告効果を十分にあげることができないという問題があった。
【００４７】
そこで、本発明に係る端末装置では、広告情報と施設情報を結びつけるために、広告主ＩＤに基づいた抽出キーを生成することとし、この抽出キーを用いて施設情報の抽出処理を行うことで、利用者の利便性を向上させることとしている。また、利用者の利便性を向上させることで、広告提供者が行った広告活動の効果を高めることができる。
【００４８】
次に、かかる端末装置が行う処理の概要について図２を用いて説明する。図２は、端末装置の概要を示す図である。同図に示すように、端末装置が広告（広告情報）を受信したならば、たとえば、ルートナビゲーション機能の目的地設定画面に、広告情報を提供した企業（たとえば、店名）をあらわすボタンを表示させる。このようにすることで、広告情報と施設情報を効率的に結びつけることができる。
【００４９】
次に、本実施例に係る広告システムの構成について図３を用いて説明する。図３は、広告システムの構成を示す図である。同図に示すように、広告システム１は、放送局側に設けられる送信装置１０と、移動体側に設けられる端末装置２０とからなる。そして、送信装置１０は放送波を用いて広告情報を送信し、端末装置２０はこの放送波を受信することによって送信装置１０が送信した広告情報を取り込む。
【００５０】
このように、広告システム１は送信装置１０と端末装置２０との通信に、既存のインフラである放送波を利用しているので、利用者が通信費などを新たに負担することなく容易に広告情報を入手することができる。また、放送局側では広告情報の提供に伴う投資を抑えることができるとともに、移動体側でも放送波を受信することが可能な従来の受信装置を用いることによって、あらたなハードウェアの増設を必要としないというメリットが得られる。
【００５１】
次に、本実施例に係る送信装置１０の構成について図４を用いて説明する。図４は、本実施例に係る送信装置の構成を示す機能ブロック図である。同図に示すように、送信装置１０は、制御部１１と、記憶部１２と、送信部１３と、入力部１４とを備えている。また、制御部１１は、情報抽出処理部１１ａと、ＤＢ更新処理部１１ｂとをさらに備えており、記憶部１２は、広告情報ＤＢ１２ａをさらに備えている。
【００５２】
制御部１１は、広告主などから提供された広告情報を、記憶部１２の広告情報ＤＢ１２ａに格納するとともに、放送スケジュールなどにあわせて、広告情報ＤＢ１２ａから該当する情報を抽出し、抽出した情報を送信部１３を介して送信する処理を行う処理部である。
【００５３】
情報抽出処理部１１ａは、放送スケジュールなどにあわせて、広告情報ＤＢ１２ａから該当する広告情報を抽出し、抽出した広告情報を送信部１３に渡す処理を行う処理部である。たとえば、この情報抽出処理部１１ａは、広告主から提供された文字情報、静止画情報、動画情報といった情報を、スポンサーとなっている番組と連動させて、あるいは、特定の番組とは無関係に、送信スケジュールと対応させて送信対象となる広告情報を抽出する。
【００５４】
ＤＢ更新処理部１１ｂは、広告主などから提供される情報を入力部１４を介して受け取り、受け取った情報を広告情報ＤＢ１２ａに格納する処理を行う処理部である。たとえば、このＤＢ更新処理部１１ｂは、広告主から提供された情報を、広告主を識別する広告主ＩＤごとに広告情報ＤＢ１２ａに格納する。
【００５５】
記憶部１２は、ストレージ装置やストレージシステムといった大量の情報を記憶可能な記憶装置によって構成される記憶部である。また、広告情報ＤＢ１２ａは、リレーショナルＤＢなどから構成され、記憶情報を、上記した広告主ＩＤを用いて関連付けて記憶している。そして、抽出時には、該当する情報を制御部１１に対して提供する。
【００５６】
ここで、この広告情報ＤＢ１２ａに格納される広告情報の例について図５を用いて説明しておく。図５は、広告情報の一例を示す図である。同図に示すように、広告情報３０は、少なくとも広告主ＩＤ３０ａと、広告自体のデータである広告データ３０ｂとを含む情報である。また、この広告情報３０には、図５に示した有効期限３０ｃや、広告の対象年齢３０ｄといった、広告の詳細情報を含めることとしてもよい。
【００５７】
図４の説明に戻り、送信部１３について説明する。送信部１３は、制御部１１から受け取った情報を放送波に乗せて送信する処理を行う処理部である。具体的には、この送信部１３は、通常の放送データが用いる放送チャネルとは異なる放送チャネルを用いることによって、ラジオ番組やテレビ番組と並行して上記した広告情報を送信する。
【００５８】
入力部１４は、ＤＶＤやＣＤ−ＲＯＭといった可搬型記録媒体読取装置などの入力デバイスによって構成され、広告主から提供された情報を取り込み、制御部１１に渡す処理を行う。なお、この入力部１４を、ＬＡＮボードなどの通信デバイスによって構成し、広告主からの情報をオンラインで取り込むようにしてもよい。
【００５９】
次に、上述した送信装置１０の処理概要について図６を用いて説明する。図６は、送信装置１０の処理概要を示すフローチャートである。ＤＢ更新処理部１１ｂが入力部１４を介して広告主からの情報を受け取ると、このＤＢ更新処理部１１ｂは、記憶部１２の広告情報ＤＢ１２ａに受け取った情報を格納する。
【００６０】
そして、同図に示すように、放送スケジュールなどにあわせて広告情報を送信する際には、情報抽出処理部１１ａは、送信する広告情報を広告情報ＤＢ１２ａから抽出し（ステップＳ１０１）、送信部１３は、抽出された情報を送信フォーマットに変換したうえで（ステップＳ１０２）、放送波に乗せて送信して（ステップＳ１０３）処理を終了する。
【００６１】
次に、本実施例に係る端末装置の構成について図７を用いて説明する。図７は、本実施例に係る端末装置の構成を示す機能ブロック図である。同図に示すように、端末装置２０は、制御部２１と、記憶部２２と、受信部２３と、時刻取得部２４と、入出力部２５と、位置検出部２６とを備えている。また、制御部２１は、格納処理部２１ａと、抽出キー生成部２１ｂと、提供処理部２１ｃとをさらに備えており、記憶部２２は、広告情報２２ａと、施設情報２２ｂと、地図情報２２ｃとを記憶する。
【００６２】
制御部２１は、送信装置１０から送信された広告情報を受信して記憶部２２に広告情報２２ａとして蓄積するとともに、広告情報に基づいて抽出キーを生成し、この抽出キーを用いて抽出された施設情報を、広告情報とともに入出力部２５に出力する処理部である。
【００６３】
格納処理部２１ａは、送信装置１０から送信された広告情報を、受信部２３を介して受け取り、記憶部２２に格納する処理を行う処理部である。具体的には、この格納処理部２１ａは、広告主ＩＤなどを含んだ広告情報（図５参照）を、記憶部２２に広告情報２２ａとして記憶させる処理を行う。
【００６４】
なお、受信した広告情報を記憶部２０に記憶することなく、直接、抽出キー生成部２２ｂに渡す構成とすることとしてもよい。また、この格納処理部２１ａに、受信した広告情報をフィルタリング（選別）する機能を備えさせることとしてもよい。この場合、図５に示した有効期限３０ｃや、対象年齢３０ｄといった情報に基づいて、端末装置２０側の時刻情報や利用者情報と合致する情報のみを記憶部２２に記憶させることになる。
【００６５】
抽出キー生成部２１ｂは、記憶部２２の広告情報２２ａに基づいて、利用者に提供する施設情報を抽出するための抽出キーを生成する処理を行う処理部である。また、この抽出キー生成部２１ｂは、生成した抽出キーに対応するボタンを入出力部２５に表示する処理を行う処理部でもある。
【００６６】
たとえば、この抽出キー生成部２１ｂは、広告情報２２ａに含まれる広告主ＩＤ（図５の３０ａ参照）を用いることによって、この広告主ＩＤに対応する目的地候補ボタンを生成する。なお、この目的地候補ボタンは、ルートナビゲーション機能において目的地を設定するための設定画面に表示されるボタンのことを指す。
【００６７】
提供処理部２１ｃは、上記した目的地候補ボタンが利用者によって選択された場合などに、選択された抽出条件に応じた情報を施設情報２２ｂから抽出し、入出力部２５を介して利用者に提供する処理を行う処理部である。また、この提供処理部２１ｃは、抽出した施設情報２２ｂとともに該当する広告情報２２ａの提供を行う処理部でもある。
【００６８】
たとえば、抽出キー生成部２１ｂが企業Ａの広告情報に基づいて企業Ａの施設選択をあらわすボタンを生成した場合において、利用者がこのボタンを選択したならば、地図情報２２ｃに抽出した施設情報２２ｂを重畳させて利用者に提供するとともに、企業Ａの広告情報を、施設情報２２ｂを表示した画面に表示したり、音声に変換してスピーカーから出力したり、といった手法によって利用者に提供する。なお、企業Ａの広告情報を、音声のみによって出力することも可能である。
【００６９】
記憶部２２は、ＨＤＤ（Hard  Disk  Drive）などの記憶デバイスから構成される記憶部であり、この記憶部２２には、広告情報２２ａと、施設情報２２ｂと、地図情報２２ｃとが記憶される。なお、広告情報２２ａは、放送波を受信した受信部２３および格納処理部２１ａを介して記憶される情報であり、施設情報２２ｂおよび地図情報２２ｃは、予め記憶部２２に記憶されている情報である。
【００７０】
なお、楽曲関連情報２２ａは、送信装置１０から受信する情報を蓄積していく情報であるため、その情報量は増加していく。したがって、格納された日時、情報内の日付情報、利用者の利用頻度などに基づいてこれらの情報を適宜消去したり、上書きしたりすることとしてもよい。このようにすることで、記憶部２２の記憶領域を効率的に利用することができる。
【００７１】
受信部２３は、放送波を受信し、この放送波に含まれる広告情報を取得して制御部２１の格納処理部２１ａに渡す処理を行うデバイスである。また、時刻取得部２４は、計時機能を備えたデバイスであり、入出力部２５は、タッチパネルを備えたディスプレイなどのように、入力操作が可能であり、かつ、情報の表示が可能な入出力デバイスである。
【００７２】
また、位置検出部２６は、カーナビゲーションにおいて用いられるＧＰＳ（Global  Positioning  System）を利用することによって端末装置２０が搭載される移動体の現在位置を検出したり、カーナビゲーションにおけるルート探索機能によって探索された目的地までの各ルート情報を検出したりする処理を行うデバイスである。そして、この位置検出部２６は、検出した位置情報を制御部２１の提供処理部２１ｃに通知する。
【００７３】
次に、上述した端末装置２０の処理手順について図８および図９を用いて説明する。図８は、端末装置２０における抽出キー生成処理の処理手順を示すフローチャートである。同図に示すように、抽出キー生成部２１ｂは、広告情報２２ａが記憶部２２に格納されたタイミング、あるいは、所定のタイミングで、記憶部２２から広告情報２２ａを読み出す（ステップＳ２０１）。
【００７４】
つづいて、読み出した広告情報２２ａから広告主ＩＤを取得するとともに（ステップＳ２０２）、時刻取得部２４の出力と、広告情報２２ａに含まれる有効期限とを対比する（ステップＳ２０３）。そして、この広告情報２２ａが有効期限内の情報である場合には（ステップＳ２０３，Ｙｅｓ）、かかる広告主ＩＤに基づいた選択ボタンを生成する（ステップＳ２０４）。一方、広告情報２２ａが有効期限を過ぎた情報である場合には（ステップＳ２０３，Ｎｏ）、処理を終了する。
【００７５】
ステップＳ２０４の処理につづき、抽出キー生成部２１ｂは、目的地設定画面が表示中であるか否かを判定する（ステップＳ２０５）。そして、目的地設定画面が表示中である場合には（ステップＳ２０５，Ｙｅｓ）、生成した選択ボタンを目的地設定画面に表示して（ステップＳ２０６）処理を終了する。
【００７６】
一方、目的地設定画面が表示中でない場合には（ステップＳ２０５，Ｎｏ）、選択ボタンを表示することなく処理を終了する。なお、この場合、選択ボタンの表示は行わないものの、選択ボタンを表示するためのデータ更新を行うこととしてもよい。また、目的地設定画面が裏画面となっている場合には、この裏画面に選択ボタンを表示しておくこととしてもよい。
【００７７】
次に、端末装置２０における提供処理について図９を用いて説明する。図９は、端末装置２０における提供処理の処理手順を示すフローチャートである。同図に示すように、提供処理部２１ｃは、入出力部２５を介して選択された上記の選択ボタンに対応する広告主ＩＤに関連する施設情報を抽出する（ステップＳ３０１）。つづいて、ルート近辺の施設であるか否かを判定する（ステップＳ３０２）。
【００７８】
そして、ルート近辺の施設である場合には（ステップＳ３０２，Ｙｅｓ）、施設アイコンをルートマップ上に表示する（ステップＳ３０３）。一方、ルート近辺に存在する施設がない場合には（ステップＳ３０２，Ｎｏ）、処理を終了する。
【００７９】
つづいて、提供処理部２１ｃは、ルートマップ上にあるアイコンが選択されたか否かを判定する（ステップＳ３０４）。そして、アイコンが選択されたならば（ステップＳ３０４，Ｙｅｓ）、広告の詳細内容を表示するなどして利用者に提供する（ステップＳ３０５）。一方、アイコンが選択されない場合には（ステップＳ３０４，Ｎｏ）、広告の詳細内容は表示しない。
【００８０】
つづいて、広告の詳細内容を確認した利用者が、広告情報に対応する施設までの誘導を希望した場合には（ステップＳ３０６，Ｙｅｓ）、誘導ルートを表示してナビゲーションを行い（ステップＳ３０７）、処理を終了する。一方、誘導を希望しなかった場合には（ステップＳ３０６，Ｎｏ）、ナビゲーションを行うことなく処理を終了する。
【００８１】
次に、広告情報および施設情報の表示例について図１０を用いて説明する。図１０は、広告情報および施設情報の表示例を示す図である。同図に示すように、施設情報表示画面４０は、広告内容表示エリア４１と、ルート情報表示エリア４２とからなる。広告内容表示エリア４１は、受信した広告情報を表示するエリアであり、ルート情報表示エリア４２は、抽出された施設情報に対応する施設アイコンを、ルート情報とともに表示するためのエリアである。
【００８２】
図１０に示したように、ルート情報表示エリア４２には、広告主ＩＤに基づいて抽出された施設がアイコンとして表示される。また、かかる施設アイコンが選択された場合には、選択された施設アイコンまでのルートナビゲーションを行ったり、施設の予約を行ったりすることが可能となる。なお、施設アイコンを選択した場合に表示される詳細な情報は、上記した広告内容表示エリア４１に表示することとしてもよいし、ポップアップ画面などの別画面に表示することとしてもよい。
【００８３】
上述してきたように、本実施例では、ＤＢ更新処理部が入力部を介して受け取った広告に関する情報を広告主ＩＤごとに広告情報ＤＢに格納し、情報抽出処理部が送信スケジュールなどに基づいて広告情報ＤＢから送信対象となる情報を抽出し、抽出した広告情報を送信部が放送波に乗せて送信するよう送信装置を構成した。また、格納処理部が送信装置から受信した広告情報を記憶部に格納し、抽出キー生成部が記憶部の広告情報に基づき施設情報を抽出するための抽出キーを生成し、提供処理部が選択された抽出キーに関連する施設情報を抽出して広告情報とともに利用者に提供するよう端末装置を構成した。したがって、本実施例に係る広告システムによれば、広告提供者側においては広告効果を高めることができるとともに、広告利用者側においては効率的に広告を利用することができる。
【００８４】
ところで、上記実施例に示した送信装置あるいは端末装置は、コンピュータにプログラムをロードして実行することにより機能発揮する。たとえば、端末装置のコンピュータのＲＯＭ等に、上述した提供処理部などのルーチンを含むプログラムを記憶しておき、端末装置がかかるプログラムをＣＰＵにロードして実行することにより、本発明に係る端末装置を形成することができる。また、同様にして送信装置を形成することもできる。
【産業上の利用可能性】
【００８５】
以上のように、本発明にかかる広告システム、送信装置、端末装置および端末プログラムは、効果的な広告活動を行いたい場合に有用であり、特に、移動体に搭載されるカーナビゲーション装置を利用して広告活動を行う場合に適している。
【図面の簡単な説明】
【００８６】
【図１】広告システムの概要を示す図である。
【図２】端末装置の概要を示す図である。
【図３】広告システムの構成を示す図である。
【図４】送信装置の構成を示す機能ブロック図である。
【図５】広告情報の一例を示す図である。
【図６】送信装置における送信処理の処理手順を示すフローチャートである。
【図７】端末装置の構成を示す機能ブロック図である。
【図８】端末装置における抽出キー生成処理の処理手順を示すフローチャートである。
【図９】端末装置における提供処理の処理手順を示すフローチャートである。
【図１０】広告情報および施設情報の表示例を示す図である。
【符号の説明】
【００８７】
１  広告システム
１０  送信装置
１１  制御部
１１ａ  情報抽出処理部
１１ｂ  ＤＢ更新処理部
１２  記憶部
１２ａ  広告情報ＤＢ
１３  送信部
１４  入力部
２０  端末装置
２１  制御部
２１ａ  格納処理部
２１ｂ  抽出キー生成部
２１ｃ  提供処理部
２２  記憶部
２２ａ  広告情報
２２ｂ  施設情報
２２ｃ  地図情報
２３  受信部
２４  時刻取得部
２５  入出力部
２６  位置検出部
３０  広告情報
３０ａ  広告主ＩＤ
３０ｂ  広告データ
３０ｃ  有効期限
３０ｄ  対象年齢
４０  施設情報表示画面
４１  広告内容表示エリア
４２  ルート情報表示エリア
【図１】
2006331318.tif 000003
【図２】
2006331318.tif 000004
【図３】
2006331318.tif 000005
【図４】
2006331318.tif 000006
【図５】
2006331318.tif 000007
【図６】
2006331318.tif 000008
【図７】
2006331318.tif 000009
【図８】
2006331318.tif 000010
【図９】
2006331318.tif 000011
【図１０】
2006331318.tif 000012